(57)【要約】【課題】  ミーティングエリアにおいて使用され、ミーティングの効率化・活性化を図ることができるミーティングエリア用のテーブルを提供する。【解決手段】  天板２の上面に、磁気筆記盤５によって形成した筆記可能面を設ける。【選択図】  図１
2005137681.tif 000002
【特許請求の範囲】
【請求項１】
天板の上面に、磁気筆記盤によって形成した筆記可能面を設けたことを特徴とするテーブル。
【請求項２】
前記天板の上面に係合溝を形成し、この係合溝に取付け部材を係合させて固定するとともに、前記取付け部材に側方に向かって突設させた押え片と、天板上面との両者によって、磁気筆記盤を挟持することにより、天板上面に磁気筆記盤を取付けたことを特徴とする請求項１に記載のテーブル。
【請求項３】
前記取付け部材に、当接片を、前記押え片と反対向きの側方に突設させるとともに、前記当接片の下面を天板上面に当接させたことを特徴とする請求項２に記載のテーブル。
【請求項４】
前記係合溝を、平面視ほぼ口状に形成するとともに、前記取付け部材を、前記係合溝の直線部分に係合させる長尺取付け部材と、前記係合溝の隅部に係合させるコーナ取付け部材とによって構成したことを特徴とする請求項３に記載のテーブル。
【請求項５】
前記コーナ取付け部材の側壁外面に、外側に向けて横方向に突部を突設するとともに、前記長尺取付け部材の両端部に中空孔を設け、この中空孔内に、前記コーナ取付け部材における突部を嵌挿させることによって、長尺取付け部材とコーナ取付け部材を組付けることにより、取付け部材を構成したことを特徴とする請求項４に記載のテーブル。
【請求項６】
前記コーナ取付け部材の下部に、下向きに開口するねじ孔を形成するとともに、前記係合溝のコーナ部における底面に天板の下面に達する孔を形成し、該孔に下方から挿通させたねじを前記コーナ取付け部材のねじ孔に螺合させることによって、前記取付け部材を天板に固定するようにしたことを特徴とする請求項５に記載のテーブル。
【請求項７】
前記取付け部材の上面に凹部を設け、この凹部内に前記平板状体用の筆記具または字消し具を収納し得るようにしたことを特徴とする請求項１〜６のいずれかに記載のテーブル。
【発明の詳細な説明】
【技術分野】
【０００１】
本発明は、オフィス等のミーティングエリアにおいて使用されるテーブルに関する。
【背景技術】
【０００２】
ミーティングエリアにおいては、より自由な発想・発言を促すとともに、意見交換を活発にすることを可能とするため、ミーティングエリア内に複数のワーカが一同に確認可能である筆記可能面を有したパネル体が多く使用されている（たとえば、特許文献１，２，３）。
しかしながら、こういったパネル体の場合、筆記面が床面に対して垂直に配置されており、筆記しにくい構造となってしまう。その上、筆記具や筆記した文字を消去する道具を乗せておく台を設置する必要があった。こういった構造の場合には、筆記面にホワイトボードや黒板が使用されることが多いため、筆記する際、および筆記された物を消す際に、粉が発生してしまうという問題点も有していた。
また、ミーティングエリアでは、メモを書く際の台としての使用を可能とし、資料を載置・参考としながら打合せを実施できる様に、ミーティングテーブルを配置することが多い。しかしながら、テーブル上の資料と、前記パネル等の筆記面が個々に存在しているため、同時に参照しながら打合せをする際には使い勝手が悪くなってしまっていた。
【０００３】
【特許文献１】特開２００３−８９２９６号公報（図１参照）
【特許文献２】特開平７−２５１５９８号公報
【特許文献３】特開平１１−２５３２５７号公報
【発明の開示】
【発明が解決しようとする課題】
【０００４】
本発明は、前記従来の技術が有する問題点に鑑み、ミーティングエリアにおいて使用され、ミーティングの効率化・活性化を図ることが出来るミーティングエリア用のテーブルを提供することを目的とする。
【課題を解決するための手段】
【０００５】
本発明によると、上記課題は、次のようにして解決される。
（１）  天板の上面に、磁気筆記盤によって形成した筆記可能面を設けたテーブルとする。
【０００６】
（２）上記(１)項において、前記天板の上面に係合溝を形成し、この係合溝に取付け部材を係合させて固定するとともに、前記取付け部材に側方に向かって突設させた押え片と、天板上面との両者によって、磁気筆記盤を挟持することにより、天板上面に磁気筆記盤を取付ける。
【０００７】
（３）上記（２）項において、前記取付け部材に、当接片を、前記押え片と反対向きの側方に突設させるとともに、前記当接片の下面を天板上面に当接させる。
【０００８】
（４）上記（３）項において、前記係合溝を、平面視ほぼ口状に形成するとともに、前記取付け部材を、前記係合溝の直線部分に係合させる長尺取付け部材と、前記係合溝の隅部に係合させるコーナ取付け部材とによって構成する。
【０００９】
（５）上記(４)項において、前記コーナ取付け部材の側壁外面に、外側に向けて横方向に突部を突設するとともに、前記長尺取付け部材の両端部に中空孔を設け、この中空孔内に、前記コーナ取付け部材における突部を嵌挿させることによって、長尺取付け部材とコーナ取付け部材を組付けることにより、取付け部材を構成する。
【００１０】
（６）上記(５)項において、前記コーナ取付け部材の下部に、下向きに開口するねじ孔を形成するとともに、前記係合溝のコーナ部における底面に天板の下面に達する孔を形成し、該孔に下方から挿通させたねじを前記コーナ取付け部材のねじ孔に螺合させることによって、前記取付け部材を天板に固定するようにする。
【００１１】
（７）上記（１）〜（６）項のいずれかにおいて、前記取付け部材の上面に凹部を設け、この凹部内に前記平板状体用の筆記具または字消し具を収納し得るようにする。
【発明の効果】
【００１２】
本発明によると、次のような効果を奏することができる。
（ａ）請求項１記載の発明によると、議事録等の共通情報の筆記面が、天板上に形成されているので、テーブルを囲んでミーティングに参加しているワーカ全てがアクセスしやすい環境になっているため、ミーティングの効率化・活性化を図ることができる。
また、筆記面を形成するのに、磁気筆記盤を使用しており、筆記面上に資料を載置した際においても、「粉」や「インク」によって汚れる虞が無く、衛生的である。
【００１３】
（ｂ）請求項２記載の発明によると、係合溝に係合させた取付け部材の押え片と天板上面で磁気筆記盤を挟持しているため、磁気筆記盤の取付けが簡単であるとともに、取付け部材の上面が磁気筆記盤の上面と殆ど同一面となり、磁気筆記盤が見易く、書込みも容易である。
【００１４】
（ｃ）請求項３記載の発明によると、押え片と反対向きの側方に設けた当接片を天板に当接させてあるため、当接片が天板から受ける反力が、磁気筆記盤を挾持する押え片に対して下向きに作用し、磁気筆記盤を挾持する保持力が強くなる。
【００１５】
（ｄ）請求項４記載の発明によると、磁気筆記盤の全周縁が取付け部材によって挟持されるため、磁気筆記盤がより強固に天板に支持される。
【００１６】
（ｅ）請求項５記載の発明によると、長尺取付け部材とコーナ取付け部材とを、容易に組付けて一体化し、取付け部材を得ることができる。
【００１７】
（ｆ）請求項６記載の発明によると、ねじによって取付け部材を係合溝内に固定するため、取付け部材が係合溝から抜け出ることなく、確実に保持される。
【００１８】
（ｇ）請求項７記載の発明によると、取り付け部材の凹部に筆記具等を収容できるため、筆記具等を常に所定位置に位置させることができ、使い勝手がよい。
【発明を実施するための最良の形態】
【００１９】
以下、本発明の一実施の形態を、図面に基づいて説明する。
【実施例】
【００２０】
図１は、本発明のテーブルの一実施形態を示す斜視図、図２は、図１における磁気筆記盤の取付け構造の要部を分解して示す斜視図、図３は、図２に示す長尺取付け部材のIII-III線断面図、図４は、コーナ取付け部材の平面図、図５は、図４に示すコーナ取付け部材の正面図、図６は、図４に示すコーナ取付け部材のVI-VI線断面図、図７は、長尺取付け部材をコーナ取付け部材に組付ける状態を示す斜視図、図８は、長尺取付け部材およびコーナ取付け部材を天板の係合溝に挿嵌した状態を示す要部斜視図、図９は、図８におけるIX-IX線断面図、図１０は、図８におけるX-X線断面図、図１１(a)(b)(c)は他の実施形態のテーブルを示す平面図である。
【００２１】
テーブル(１)は、図１，図２に示すように、天板(２)の中央部に、正方形状に画成された係合溝(３)を有するテーブル本体(４)と、係合溝(３)の内側縁によって画成される正方形とほぼ同形状の磁気筆記盤(５)と、係合溝(３)内に挿嵌され、磁気筆記盤(５)を天板(２)に取付ける取付け部材(６)とによって構成されている。
【００２２】
係合溝(３)の角部の底面には、図９に示すように、比較的大径の孔(3a)が形成され、この孔(3a)は、段部をもって縮径され、天板(２)の下面に通ずる小径孔(3b)が形成されている。
【００２３】
磁気筆記盤(５)は、磁気を利用した公知（例えば、特許第２８４１２９１号）の筆記盤であり、圧力緩衝部材となるプラスチックフィルムと、透明な記録磁気筆記盤との間で、マイクロカプセル分散層が挟持されたものであり、マイクロカプセルには、ゼラチンの被膜内に光吸収性磁性粉および光反射性非磁性粉が、分散媒によって分散されて封入されている。
この磁気筆記盤(５)では、マイクロカプセル内の磁性粉を、圧力緩衝部材側に移動乃至泳動させておくことによって、記録磁気筆記盤上の表示を消去しておき、筆記具である棒状磁石を使用して、記録磁気筆記盤上に線等を描くことによって、カプセル内の磁性粉を記録磁気筆記盤側に移動させ、記録磁気筆記盤に磁性粉である黒色の線等を描かせるようになっている。
【００２４】
取付け部材(６)は、図２に示すように、係合溝(３)の直線部分に倣って形成された４本の長尺取付け部材(７)と、係合溝(３)の角部に挿嵌される４個のコーナ取付け部材(８)とによって構成されている。
【００２５】
長尺取付け部材(７)は、長手方向に対して垂直な断面が、図３に示すように、その幅方向中央が下方に向けて凹んだ凹部(９)を有するほぼＭ字状を成し、内側側片(11a)と、外側側片(11b)の下端が相互に近接する向きに曲折され、左右下部に２つの中空孔(10)(10)が形成されている。内側側片(11a)の上端には、内方に張出す押え片(12)、外側側片(11b)には外方に張出す当接片(13)が、それぞれ形成されている。
【００２６】
コーナ取付け部材(８)は、図４〜図６に示すように、上板(14)の下面の相隣合う２側部に、下方に延びる側壁(15)(15)を有している。これらの側壁(15)(15)の外面には、僅かな厚みをもって、ほぼＭ字状の肉厚部(16)(16)が形成され、その肉厚部(16)(16)の外面に外側に向けて横方向の突部(17)(17)が突設されている。また、上板(14)の下面のほぼ中心部には、下方に延びるボス(18)が垂設されており、このボス(18)には、下向きに開口するねじ孔(19)が形成されている。
【００２７】
このような長尺取付け部材(７)およびコーナ取付け部材(８)を使用して、磁気筆記盤(５)が、以下のようにして、テーブル本体(４)の天板(２)に取付けられる。
【００２８】
天板(２)上の係合溝(３)で囲まれた正方形内に磁気筆記盤(５)を載置する。一方、図７に示すように、長尺取付け部材(７)の端部の中空孔(10)内に、コーナ取付け部材(８)の突部(17)を嵌挿させることによって、正方形状の取付け部材(６)が組付けられる。
【００２９】
次いで、図８，図９に示すように、コーナ取付け部材(８)のボス(18)を係合溝(３)の孔(3a)に挿嵌させながら、天板(２)の係合溝(３)内に取付け部材(６)を係合させ、小径孔(3b)の下方から挿入されたねじ(20)の上端をボス(18)のねじ孔(19)に螺合させることによって、取付け部材(６)が係合溝(３)内に固定される。
【００３０】
このように取付け部材(６)が天板(２)の係合溝(３)内に係合された状態では、図８，図１０に示すように、長尺取付け部材(７)の外側の当接片(13)が係合溝(３)の上縁の天板(２)上面に当接され、内側の押え片(12)が磁気筆記盤(５)の周縁の上面に当接される。また、図８に示すように、コーナ取付け部材(８)の上板(14)の外側隅部周縁(14a)が天板(２)上面に当接され、上板(14)の内側隅部周縁(14b)が磁気筆記盤(５)のコーナ部上縁に当接される。
【００３１】
このようにして、磁気筆記盤(５)が、天板(２)の中央に固定状態で取付けられる。
なお、テーブル(１)は、図１１（ａ）に示すような円形、あるいは図１１（ｂ）に示すような楕円形など所望の形状のものが用いられ、さらに図１１（ｃ）に示すように、細長い天板(２)に２つの磁気筆記盤(５)(５)を設置してもよく、天板(２)の形状，磁気筆記盤(５)の設置数は、用途に応じて適宜決定される。
【図面の簡単な説明】
【００３２】
【図１】本発明の取付け構造を用いて磁気筆記盤が取付けられたテーブルの斜視図である。
【図２】図１における磁気筆記盤の取付け構造の要部を分解して示す斜視図である。
【図３】図２における長尺取付け部材のIII-III線断面図である。
【図４】コーナ取付け部材の平面図である。
【図５】図４に示すコーナ取付け部材の正面図である。
【図６】図４におけるVI-VI線断面図である。
【図７】長尺取付け部材をコーナ取付け部材に組付ける状態を示す斜視図である。
【図８】長尺取付け部材およびコーナ取付け部材を天板の係合溝に係合した状態を示す要部斜視図である。
【図９】図８におけるIX-IX線断面図である。
【図１０】図８におけるX-X線断面図である。
【図１１】他の実施形態のテーブルを示す平面図である。
【符号の説明】
【００３３】
(１)テーブル
(２)天板
(３)係合溝
(3a)孔
(3b)小径孔
(４)テーブル本体
(５)磁気筆記盤
(６)取付け部材
(７)長尺取付け部材
(８)コーナ取付け部材
(９)凹部
(10)中空孔
(11a)内側側片
(11b)外側側片
(12)押え片
(13)当接片
(14)上板
(15)側壁
(16)肉厚部
(17)突部
(18)ボス
(19)ねじ孔
(20)ねじ
【図１】
2005137681.tif 000003
【図２】
2005137681.tif 000004
【図３】
2005137681.tif 000005
【図４】
2005137681.tif 000006
【図５】
2005137681.tif 000007
【図６】
2005137681.tif 000008
【図７】
2005137681.tif 000009
【図８】
2005137681.tif 000010
【図９】
2005137681.tif 000011
【図１０】
2005137681.tif 000012
【図１１】
2005137681.tif 000013